(57)【要約】  レンズを、硬いレンズリテーナを通して柔軟な眼鏡フレームに安全で取外し可能な保持を提供するために、硬いレンズリテーナが該フレームの成型工程の間、柔軟な眼鏡フレームに恒久的に係合される。
2012518561.tif 000002
【特許請求の範囲】
【請求項１】
以下の順序のステップを含む眼鏡の製造方法：
（ａ）実質的に柔軟な眼鏡フレームを成型するための成型装置を準備するステップ；
（ｂ）該成型装置の一部が、硬いレンズリテーナの第一部分と重なるように少なくとも一つのレンズリテーナを成型装置に関して所定の位置に置くステップ；
（ｃ）該成型装置を用いる成型プロセスにおいて、硬いレンズリテーナを実質的に柔軟な眼鏡フレームに恒久的に係合させて、実質的に柔軟な眼鏡フレームを成型するステップ；次いで
（ｄ）レンズが硬いレンズリテーナの第二部分と直接接するように、少なくとも一つのレンズを硬いレンズリテーナに取外し可能に係合させるステップ。
【請求項２】
前記硬いレンズリテーナを前記実質的に柔軟な眼鏡フレームに恒久的に係合させることが、硬いレンズリテーナの前記第一部分を前記実質的に柔軟な眼鏡フレームに埋め込むことで達成される請求項１に記載の方法。
【請求項３】
前記硬いレンズリテーナを前記実質的に柔軟な眼鏡フレームに恒久的に係合させることが、実質的に柔軟な眼鏡フレームの成型材料の一部を、硬いレンズリテーナの前記第一部分に形成された少なくともひとつの穴に流し込むことにより達成される請求項１に記載の方法。
【請求項４】
前記少なくとも一つのレンズを硬いレンズリテーナに取外し可能に係合させることが、前記少なくとも一つのレンズの全周縁を、前記硬いレンズリテーナの前記第二部分に形成されたレンズ開口の内周縁と取外し可能に係合させることにより達成される請求項１に記載の方法。
【請求項５】
少なくとも一つのレンズを硬いレンズリテーナに取外し可能に係合させることが、該硬いレンズリテーナから突出する少なくとも一つの係合要素を少なくとも一つのレンズに形成された穴に係合させることにより達成される請求項１に記載の方法。
【請求項６】
前記硬いレンズリテーナを、前記実質的に柔軟な眼鏡フレームに適合する第一のカーブと前記少なくとも一つのレンズに適合する第二のカーブを持たせて形成することをさらに有する請求項１に記載の方法。
【請求項７】
前記第二のカーブが、前記第一のカーブより曲がりが少ない請求項６に記載の方法。
【請求項８】
実質的に柔軟な成型眼鏡フレームと、
第一部分と第二部分を有する硬いレンズ保持装置であって、このレンズ保持装置が存在する状態で該眼鏡フレームを成型する間、該第一部分が、実質的に柔軟な成型眼鏡フレームの一部と恒久的に係合するレンズ保持装置と、
硬いレンズ保持装置の第二部分と直接接すると共に取外し可能に係合する少なくとも一つのレンズとを有する眼鏡。
【請求項９】
前記レンズ保持装置の第一部分が、前記実質的に柔軟な成型眼鏡フレームに埋め込まれている請求項８に記載の眼鏡。
【請求項１０】
前記実質的に柔軟な成型眼鏡フレームの材料の一部が、前記硬いレンズ保持装置の前記第一部分に形成された少なくとも一つの穴を満たしている請求項８に記載の眼鏡。
【請求項１１】
前記実質的に柔軟な成型眼鏡フレームが、一対のレンズ支持部を有しており、該硬いレンズ保持装置が、該レンズ支持部の夫々と恒久的に係合している一対のレンズリテーナを有し、前記少なくとも一つのレンズがもう一つのレンズと共に、夫々の硬いレンズリテーナと取外し可能に係合された一対のレンズを形成している請求項８に記載の眼鏡。
【請求項１２】
硬いレンズリテーナが夫々のレンズを囲んでおり、硬いレンズリテーナの各々が、硬いレンズ保持装置の第一部分を形成する外周と硬いレンズ保持装置の第二部分を形成する内周とを有している請求項１１に記載の眼鏡。
【請求項１３】
硬いレンズリテーナの各々が、実質的に柔軟な眼鏡フレームのカーブに適合する第一のカーブと、一つのレンズのカーブに適合する第二のカーブとを有するカーブ形状を有しており、該第二のカーブは、該第一のカーブより曲がりが少なく、該第一のカーブより前方に位置しており、それによりレンズを眼鏡フレームの前方に位置せしめる請求項１１に記載の眼鏡。
【請求項１４】
前記硬いレンズリテーナの夫々が、該レンズリテーナの外周における第一のカーブと、内周における第二のカーブとを持つカーブした形状を画定し、該第二のカーブは、該第一のカーブより曲がりが少なく、該外周より前方に突き出ており、該第二のカーブを持つレンズを、該第一のカーブを持つ眼鏡フレームの前方に位置せしめている請求項１２に記載の眼鏡。
【請求項１５】
前記硬いレンズ保持装置は、該一対のレンズリテーナを互いに連結する連結部をさらに有しており、該連結部は、該実質的に柔軟な眼鏡フレームに埋め込まれている請求項１１に記載の眼鏡。
【発明の詳細な説明】
【技術分野】
【０００１】
この発明は、眼鏡、さらに特定すれば、一個またはそれ以上のレンズを眼鏡フレームに安全で取外し可能に保持するための硬いレンズ保持装置を有する柔軟な眼鏡フレームを有する眼鏡に関する。
【背景技術】
【０００２】
従来の眼鏡は、一般的にヘッドサポート装置を持つ眼鏡フレームとこのフレームに取付けられた一個またはそれ以上のレンズを有している。例えば、眼鏡フレームは、硬いプラスチック材料から作られ、一個または二個のレンズを取外し可能に、硬いフレームに係合させるための一個または二個のレンズ穴を持つように成形されている。これらの眼鏡は、サングラス、防護用作業眼鏡、スポーツ用ゴーグル等のような色々な眼鏡を含んでいる。
【発明の概要】
【発明が解決しようとする課題】
【０００３】
新しい機能に対する要求と新しいファッションを満たすために、さらに多様な眼鏡に対する要求がある。従って、眼鏡構造体にレンズを簡便に取付け取外しできる色々なタイプの眼鏡やゴーグルにおいて実質的に柔軟な眼鏡フレームを有する眼鏡のニーズが存在している。しかし、レンズを確実にしかも取外し可能に実質的に柔軟な眼鏡フレームに係合させることは、特に、柔軟な眼鏡フレームが取付けられたレンズを完全に取り囲んでいない場合には、チャレンジである。従ってこの課題を解決するために改良された眼鏡が必要とされる。
【課題を解決するための手段】
【０００４】
この発明の一態様に従えば、以下の順序のステップを含む、眼鏡の製造方法が提供される：（ａ）実質的に柔軟な眼鏡フレームを成型するための成型装置を準備する；（ｂ）該成型装置の一部が、硬いレンズリテーナの第一部分と重なるように少なくとも一つのレンズリテーナを成型装置に関して所定の位置に置く；（ｃ）該成型装置を用いる成型プロセスにおいて、硬いレンズリテーナと恒久的に係合させて、実質的に柔軟な眼鏡フレームを成型する；（ｄ）次いで、レンズが硬いレンズリテーナの第二部分と直接接するように、少なくとも一つのレンズを硬いレンズリテーナに取外し可能に係合させる。
【０００５】
この発明の他の態様に従えば、実質的に柔軟な成型眼鏡フレームと、第一部分と第二部分を有する硬いレンズ保持装置であって、この保持装置が存在する状態でフレームを成型する間、第一部分が、実質的に柔軟な成型眼鏡フレームの一部と恒久的に係合するレンズ保持装置と、硬いレンズ保持装置の第二部分と直接接すると共に取外し可能に係合する少なくとも一つのレンズを有する眼鏡が提供される。
【０００６】
この発明の他の態様とその利点については、以下に詳説される好ましい実施例を参照すればよく理解できるであろう。
【図面の簡単な説明】
【０００７】
この発明の包括的な性質を上に述べたので、次いで、好ましい実施例を示した添付図面を参照する。図において、
【０００８】
【図１】この発明の一実施例を示す斜視図を示す。
【図２Ａ】硬いレンズリテーナが存在する状態でフレームを成型中の図１に示される眼鏡の実質的に柔軟な眼鏡フレームの部分断面図を示す。
【図２Ｂ】図１の眼鏡の線２−２の一部断面図で、図２Ａに示される例の代替の構造を示す。
【図２Ｃ】図１に示される眼鏡の図２Ｂに類似の部分断面図で、別の構造配列を示す。
【図２Ｄ】図１の眼鏡の図２Ｂに類似の部分断面図で、さらに別の構造配列を示す。
【図３】この発明の他の実施例に従う眼鏡の斜視図を示す。
【図４Ａ】図３の眼鏡の線４Ａ−４Ａで切る部分断面図で、二つの硬いレンズリテーナを連結する眼鏡フレームに埋め込まれた連結部を示す。
【図４Ｂ】図３に示された眼鏡の線４Ｂ−４Ｂで切られた部分断面図で、構造配列を示す。
【図５Ａ】この発明の他の実施例に従う眼鏡の平面図を示す。
【図５Ｂ】図５Ａに示す眼鏡の正面図で、二つのアームを除いて示す。
【図６】この発明のさらに別の実施例に従う眼鏡の平面図で、レンズと眼鏡フレームの夫々の曲率に適合するように曲げられた硬いレンズリテーナの輪郭を示す。
【図７】図６に示す眼鏡の硬いレンズリテーナの一つの斜視図を示す。
【発明を実施するための形態】
【０００９】
図１−２Ａを参照して、眼鏡１０は、フレーム構造が、損傷することなく幾分弾性的に変形するような、実質的に柔軟な眼鏡フレーム１２を有している。一実施例に従う実質的に柔軟な眼鏡フレーム１２は、鼻ブリッジ１８により連結された一対のレンズ支持部１４を一般的に有している。実質的に柔軟な眼鏡フレーム１２は、適当な成型材料から成型プロセスにより一体的に作られる。レンズ支持部の各セクション１４は、互いに離間し、各レンズ支持部１４から下方に延びる外側部と内側部２０，２２とを有している。一対のアーム１６のようなヘッドサポート手段は、例えば、眼鏡フレーム１２の対向端部に枢支され、類似の成型材料から作られてもよく、類似の弾性特性を有している。
【００１０】
硬いレンズ保持装置は、この実施例では二つの硬いレンズリテーナ２６を有しており、硬いレンズ保持装置が存在する状態で眼鏡フレーム１２を成型する間、実質的に柔軟な成型眼鏡フレーム１２と恒久的に係合している。
【００１１】
各レンズリテーナ２６は、柔軟な眼鏡フレーム１２の成型プロセスとは別に、例えば実質的に硬いプラスチック材料から、成型プロセスにより作られる。説明を容易にするために、一つのレンズリテーナについて以下に説明する。レンズリテーナ２６は、連続した外周２８を有する。外周２８の上部は、眼鏡フレーム１２と直接接し、特に、レンズ支持部１４の上部２４、外側部および内側部２０，２２と連結して形成された逆Ｕ字形内に受けられ恒久的に係合している。硬いレンズリテーナ２６は、レンズ３４を受けるレンズ用開口３２を形成する連続した内周３０を有する（図２Ａ参照）。硬いレンズリテーナ２６は、従ってレンズ３４を取り囲んでいる。
【００１２】
レンズ３４を硬いレンズリテーナ２６に取外し可能に係合することは、例えば、レンズが、硬いレンズリテーナ２６の一側からレンズ開口部３６に押し込まれた時、レンズ３４の外周が「パチッ」とはまるように形成されたレンズリテーナ２６の内周３０に沿って設けられた浅い溝３６によって達成される。レンズ３４は、レンズリテーナ２６の他側から押された時に、「パチッ」と簡便に外すことができる。これに代えて、特に硬いレンズリテーナが、レンズ外周の一部しか係合しない非円形のような他の形を有するときは、レンズと硬いレンズリテーナとの間の弾性変形又は摩擦力に基づくその他の機構を用いてレンズを取外し可能にレンズリテーナに取付けることができる。レンズの硬いレンズリテーナへの取付けは、レンズ３４を眼鏡フレームの成型プロセスにさらされるのを避けるために、レンズリテーナ２６が、実質的に柔軟な眼鏡フレーム１２と恒久的に係合された後で完了することに留意すべきである。
【００１３】
特に図２Ａを参照して、成型装置４０は、実質的に柔軟な眼鏡フレーム１２の形状に一致した空所（番号なし）を形成している。成型装置４０は、さらに、成型プロセスの間において、成型材料が、適切な状態で、空所に注入されるように、空所と連通した射出成型通路４２を有している。夫々の硬いレンズリテーナ２６は、成型装置４０に対して所定の第一位置と第二位置に置かれる。成型装置の一部が、レンズリテーナ２６の外周の一部とその両側部において重なり合い、夫々のレンズリテーナ２６の外周の一部が柔軟な眼鏡フレーム１２の成型材料に埋められる。眼鏡フレーム１２の成型材料が硬化処理されると、レンズリテーナ２６は、実質的に柔軟な眼鏡フレーム１２と恒久的に係合する。
【００１４】
図２Ｃと２Ｄは、硬いレンズリテーナ２６と実質的に柔軟な眼鏡フレーム１２との恒久的な係合の構造配列の代替例を示し、この例の係合は、柔軟な眼鏡フレーム１２の成型材料の一部を硬いレンズリテーナ２６の周辺部に設けられたひとつまたはそれ以上の穴４６に流し込み、成型材料が硬化処理された時、レンズリテーナ２６の一つ又はそれ以上の穴に係合するひとつまたはそれ以上の柔軟な眼鏡フレーム２６の突出要素４４を形成することで達成される。穴４６から抜けないように、突出要素４４は、その端部において拡大した寸法を有するなど、色々な形状にできる。レンズ３４は、硬いレンズリテーナ２６の溝３６に取外し可能に係合される。
【００１５】
図２Ｂは、さらに別の構造配列の代替例を示し、硬いレンズリテーナ２６の周辺部が、実質的に柔軟な眼鏡フレーム１２に埋め込まれ、一方で、実質的に柔軟な眼鏡フレーム１２の成型材料の一部が、柔軟な眼鏡フレーム１２の成型プロセスの間、硬いレンズリテーナ２６に設けられた一つ又はそれ以上の穴４６（又は開口）に導入され、一つ又はそれ以上の穴４６（又は開口）により係合されるひとつまたはそれ以上の突出要素４４（又はスタッド）が形成されている。
【００１６】
図３、４Ａおよび４Ｂにおいて、他の実施例に従う眼鏡１０ａが示され、この眼鏡は、図１の眼鏡１０に関して用いられた参照符号と類似の符号で示される類似の部品を有している。眼鏡１０ａの説明は眼鏡１０ａと図１の眼鏡１０との構造上の相違に焦点を当てている。眼鏡１０ａの実質的に柔軟な眼鏡フレーム１２は、図１の眼鏡１０と同様に、鼻ブリッジ１８により連結された一対のレンズ支持部１４を有しており、枢動可能なアーム４８が設けられている。しかし、夫々のレンズ支持部１４は、開口（図番なし）を形成する連続した内周縁を有している。
【００１７】
図１の眼鏡１０と同様に、夫々のレンズリテーナ２６が、連続した外周縁と内周縁２８，３０を有している(図４Ｂ参照)。硬いレンズリテーナ２６は、レンズ支持部１４の連続した内周縁にほぼ適合しているが、それより僅かに大きくされていることに留意すべきである。従って、硬いレンズリテーナ２６の周辺に沿う全部分が、フレーム１２の成型プロセス中に、図１の眼鏡１０の成型に関連して説明されたと類似の方法を用いて、実質的に柔軟な眼鏡フレーム１２に埋め込まれている。レンズ保持装置の一部として、一対のレンズリテーナ２６を連結するために、類似の又は異なる材料から作られた連結部５０が設けられている。この連結部５０は、製造中に、レンズリテーナ２６と一体的にまたは別体に設けられていてもよい。連結部５０は、例えば眼鏡フレーム１２の鼻ブリッジ１８を形成する材料により完全に覆われるように、眼鏡フレーム１２に埋め込まれている（図４Ａ参照）。
【００１８】
硬いレンズリテーナ２６は、このレンズリテーナ２６から外方に互いにほぼ平行に突出する、例えばスタッド５２のような、複数の突出要素をさらに有している。スタッド５２は、レンズ３４の周辺部に沿って設けられた夫々の穴５４に摩擦係合され、硬いレンズリテーナ２６が恒久的に実質的に柔軟な眼鏡フレーム１２に取付けられた後に、レンズ３４がレンズリテーナ２６に取外し可能に係合するようにされる。
【００１９】
図５Ａと５Ｂにおいては、この発明の他の実施例に従う眼鏡１０ｂは、図１の眼鏡１０に関して用いられたと同様の番号で示される類似の構成品と特徴を全体的に有している。眼鏡１０ｂの説明は図１の眼鏡１０との構造上の相違に焦点を当てている。眼鏡１０ｂは、図１の眼鏡１０と類似の成型プロセスにおいて作られた実質的に柔軟な眼鏡フレーム１２を有している。眼鏡フレーム１０ｂは、レンズ支持部１４を形成する長い基体を有している。長い基体は、好ましくは、使用者の顔に適合するように曲げられ、この基体の対向する夫々の端部に一対のアーム１６が枢着されている。単一のレンズ３４を取外し可能に保持するために、レンズ支持装置を形成する一個のレンズリテーナ２６が、眼鏡フレーム１２のレンズ支持部１４に恒久的に取付けられている。
【００２０】
単一のレンズリテーナ２６の最上部は、図２Ａに関して上に説明したのと同様に成型プロセス中に実質的に柔軟な眼鏡フレーム１２の底部に埋め込まれている。従って、実質的に柔軟な眼鏡フレーム１２のレンズ支持部１４への単一の硬いレンズリテーナ２６の恒久的な係合は、眼鏡フレーム１２の成型材料が硬化処理された後に達成される。単一のレンズリテーナ２６を眼鏡１０Ｂのレンズ支持部１４に恒久的に配置するために、図２Ａから２Ｄに示されるような色々な構造配列が選択できる。
【００２１】
この実施例においては、単一の硬いレンズリテーナ２６は、眼鏡フレーム１２の長い基体の美観にふさわしい長い形状に形成された一個又はそれ以上の突出要素５２を有している。図４ｂに示された眼鏡１０ａのレンズリテーナ２６の内周縁３０にレンズ３４が取外し可能に係合しているのと同様に、この突出要素５２は、単一のレンズの上縁に沿って設けられた一つ又はそれ以上の長穴に摩擦嵌合している。
【００２２】
単一レンズ３４は、好ましくは、その底縁部の中央に鼻当て凹部５６を画定している。鼻当て部材５８は、鼻当て凹部５６に位置し、周知の手段により単一レンズ３４に取付けられている。
【００２３】
図６において、この発明のさらに別の実施例に従う眼鏡１０ｃは、図１の眼鏡１０に関して用いられたと同様の参照番号で示される類似の構成品と特徴を有している。眼鏡１０ｃの説明は眼鏡１０ｃと図１の眼鏡１０との構造上の相違に焦点を当てている。眼鏡１０ｃの実質的に柔軟な眼鏡フレーム１２は、その対向端部において、これに枢着された一対のアーム１６が設けられている。実質的に柔軟な眼鏡フレーム１２は、一対のレンズリテーナ２６を支持し、恒久的に係合するように鼻ブリッジ１８により互いに連結された一対のレンズ支持部１４を有している。図１−５Ｂに示された眼鏡１０、１０ａ、および１０ｂに使用されているようなどの形態も取り得る硬いレンズリテーナ２６の各々は、外力により変形されていない時の柔軟な眼鏡フレーム１２のカーブに適合する第一のカーブ６０と、一つのレンズ３４のカーブ６２に適合する第二のカーブを有している。第二のカーブ６２は、第一のカーブより曲がりが少なくまたそれよりも前方に位置し、レンズリテーナ２６に対して取外し可能に係合されたレンズ３４を柔軟な眼鏡フレームの前方に位置せしめる。
【００２４】
この実施例における柔軟な眼鏡フレーム１２は、図１から５Ｂに示された眼鏡１０、１０ａおよび１０ｂの形のようないずれかの形状を取り得る。硬いレンズリテーナ２６の柔軟な眼鏡フレーム１２へのこの実施例における恒久的な係合は、図２Ａから２Ｄを参照して先に説明したように、色々な構造配列により達成できる。
【００２５】
図７は、図６の眼鏡１０ｃの柔軟な眼鏡フレーム１２と共に用いてもよいレンズリテーナ２６ａの一例を示す。図１の眼鏡１０のレンズリテーナ２６と類似の硬いレンズリテーナ２６ａは、連続した外周２８と連続した内周３０を有している。図６に示されるようなレンズ３４の周縁と取外し可能に係合するために、硬いレンズリテーナ２６ａの内周３０に沿って浅い溝３６が設けられている。レンズ３４は、従って硬いレンズリテーナ２６ａの連続した内周３０により画定される開口をカバーしている。この実施例においては、レンズ３４は、処方レンズでは一般的に比較的平らであるが、柔軟な眼鏡フレーム１２は、使用者の頭に適合するようにもっと曲がった形状にされている。従って、硬いレンズリテーナ２６ａは、このレンズリテーナ２６ａの外周２８において第一のカーブ６０を持ち、このレンズリテーナ２６ａの内周３０において第二のカーブを持つようにカーブした形状を画定している。第二のカーブ６２は第一のカーブ６０より曲がりが少なく、内周３０は、外周２８よりも外方に突き出ており、それにより比較的平らなレンズ３４を、もっと曲がった眼鏡フレーム１２の前方に位置せしめている。
【００２６】
上の説明は例示であって、当業者は、上の数々の実施例に対して、開示された発明の範囲から外れることなく数々の変更を行うことができることを認識できるであろう。例えば、この発明は、柔軟な眼鏡フレームに硬いレンズリテーナを恒久的に係合させるための、およびこの硬いレンズリテーナに取外し可能にレンズを係合させるための構造配列が説明された実施例と異なる眼鏡に対しても適用できるであろう。この出願において説明された特定の実施例とは異なる眼鏡の外観を与えるために、説明された実施例に代わる構造配列と他の変形例が色々な方法で組み合わせられる。この開示を見直せば当業者においては明らかな変形が、付随するクレームの範囲に入ることを意図している。
【図１】
2012518561.tif 000003
【図２Ａ】
2012518561.tif 000004
【図２Ｂ】
2012518561.tif 000005
【図２Ｃ】
2012518561.tif 000006
【図２Ｄ】
2012518561.tif 000007
【図３】
2012518561.tif 000008
【図４Ａ】
2012518561.tif 000009
【図４Ｂ】
2012518561.tif 000010
【図５Ａ】
2012518561.tif 000011
【図５Ｂ】
2012518561.tif 000012
【図６】
2012518561.tif 000013
【図７】
2012518561.tif 000014
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
以下の順序のステップを含む眼鏡の製造方法：
（ａ）実質的に柔軟な眼鏡フレームを成型するための成型装置を準備するステップ；
（ｂ）該成型装置の一部が、硬いレンズリテーナの第一部分と重なるように少なくとも一つの硬いレンズリテーナを成型装置に関して所定の位置に置くステップ；
（ｃ）該成型装置を用いる成型プロセスにおいて、前記硬いレンズリテーナを前記実質的に柔軟な眼鏡フレームに恒久的に係合させて、前記実質的に柔軟な眼鏡フレームを成型するステップ；次いで
（ｄ）レンズが前記硬いレンズリテーナの第二部分と直接接するように、少なくとも一つのレンズを前記硬いレンズリテーナに取外し可能に係合させるステップ。
【請求項２】
前記硬いレンズリテーナを前記実質的に柔軟な眼鏡フレームに恒久的に係合させることが、前記硬いレンズリテーナの前記第一部分を前記実質的に柔軟な眼鏡フレームに埋め込むことで達成される請求項１に記載の方法。
【請求項３】
前記硬いレンズリテーナを前記実質的に柔軟な眼鏡フレームに恒久的に係合させることが、前記実質的に柔軟な眼鏡フレームの成型材料の一部を、前記硬いレンズリテーナの前記第一部分に形成された少なくとも一つの穴に流し込むことにより達成される請求項１に記載の方法。
【請求項４】
前記少なくとも一つのレンズを前記硬いレンズリテーナに取外し可能に係合させることが、前記少なくとも一つのレンズの全周縁を、前記硬いレンズリテーナの前記第二部分に形成されたレンズ開口の内周縁と取外し可能に係合させることにより達成される請求項１に記載の方法。
【請求項５】
前記少なくとも一つのレンズを前記硬いレンズリテーナに取外し可能に係合させることが、該硬いレンズリテーナから突出する少なくとも一つの係合要素を前記少なくとも一つのレンズに形成された穴に係合させることにより達成される請求項１に記載の方法。
【請求項６】
前記硬いレンズリテーナを、前記第一部分に、前記実質的に柔軟な眼鏡フレームに適合する第一のカーブと前記少なくとも一つのレンズに適合する第二のカーブとを持たせて形成することをさらに有する請求項１に記載の方法。
【請求項７】
前記第二のカーブが、前記第一のカーブより曲がりが少ない請求項６に記載の方法。
【請求項８】
実質的に柔軟な成型眼鏡フレームと、
第一部分と第二部分を有する硬いレンズ保持装置であって、前記硬いレンズ保持装置が存在する状態で該眼鏡フレームを成型する間、該第一部分が、実質的に柔軟な成型眼鏡フレームの一部と恒久的に係合する硬いレンズ保持装置と、
前記硬いレンズ保持装置の前記第二部分と直接接すると共に取外し可能に係合する少なくとも一つのレンズと
を有する眼鏡。
【請求項９】
前記硬いレンズ保持装置の前記第一部分が、前記実質的に柔軟な成型眼鏡フレームに埋め込まれている請求項８に記載の眼鏡。
【請求項１０】
前記実質的に柔軟な成型眼鏡フレームの材料の一部が、前記硬いレンズ保持装置の前記第一部分に形成された少なくとも一つの穴を満たしている請求項８に記載の眼鏡。
【請求項１１】
前記実質的に柔軟な成型眼鏡フレームが、一対のレンズ支持部を有しており、該硬いレンズ保持装置が、該レンズ支持部の夫々と恒久的に係合している一対の硬いレンズリテーナを有し、前記少なくとも一つのレンズがもう一つのレンズと共に、夫々の前記硬いレンズリテーナと取外し可能に係合された一対のレンズを形成している請求項８に記載の眼鏡。
【請求項１２】
前記硬いレンズリテーナが夫々の前記レンズを囲んでおり、前記硬いレンズリテーナの各々が、前記硬いレンズ保持装置の前記第一部分を形成する外周と前記硬いレンズ保持装置の前記第二部分を形成する内周とを有している請求項１１に記載の眼鏡。
【請求項１３】
前記硬いレンズリテーナの各々が、前記実質的に柔軟な眼鏡フレームのカーブに適合する第一のカーブと、一つの前記レンズのカーブに適合する第二のカーブとを有するカーブ形状を有しており、該第二のカーブは、該第一のカーブより曲がりが少なく、該第一のカーブより前方に位置しており、それにより前記レンズを前記眼鏡フレームの前方に位置せしめる請求項１１に記載の眼鏡。
【請求項１４】
前記硬いレンズリテーナの各々が、該レンズリテーナの外周における第一のカーブと、内周における第二のカーブとを有するカーブした形状を画定し、該第二のカーブは、該第一のカーブより曲がりが少なく、該第二のカーブを有する前記レンズを、該第一のカーブを有する前記眼鏡フレームの前方に位置せしめるように、前記内周が前記外周より前方に突き出ている請求項１２に記載の眼鏡。
【請求項１５】
前記硬いレンズ保持装置は、該一対の硬いレンズリテーナを互いに連結する連結部をさらに有しており、該連結部は、該実質的に柔軟な眼鏡フレームに埋め込まれている請求項１１に記載の眼鏡。
【国際調査報告】
2012518561.tif 000015
2012518561.tif 000016